(57)【要約】【課題】  支持線やメッセンジャワイヤに取り付けでき、また雨水等の水の浸入を確実に防ぐことができる光ドロップクロージャを提供する。【解決手段】  ハウジング１左右の側壁１１を二重に形成して、光ファイバ挿通孔９を二段に形成し、且つ内側に向けて上り傾斜を有するよう形成した。ハウジング１を本体２と蓋体３で構成して、光ファイバ挿通孔９を本体２と蓋体３との境界に配置し、本体２の上部に取り付けた装着手段４に、反転して使用可能な係止金具１９を設け、反転することでメッセンジャワイヤ或いは支持線６に装着可能とした。【選択図】  図１
2006235273.tif 000002
【特許請求の範囲】
【請求項１】
左右方向に伸びた光ファイバドロップケーブルの支持線或いはメッセンジャワイヤを装着する装着手段をハウジング上部に備えると共に、左右端部に光ファイバを挿入或いは送出する光ファイバ挿通孔を備え、ハウジング内部に光ファイバ収納空間を備えた光ドロップクロージャであって、
左右の側壁を二重に形成して前記光ファイバ挿通孔を二段に形成すると共に、少なくとも外側の側壁に形成した光ファイバ挿通孔を、内側に向けて上り傾斜を有するよう形成し、更に、双方の二重の側壁の間に形成された空間の下部に外部に連通する通水孔を設け、
ハウジングを、前記装着手段を備えて前方を開放可能とした本体と、本体前面を閉塞する蓋体とで形成し、前記光ファイバ挿通孔を本体と蓋体との境界に配置して成ることを特徴とする光ドロップクロージャ。
【請求項２】
装着手段は、装着対象の線径に合わせた複数の係止部を備えた係止金具を有し、係止金具の係止部を選択することで支持線或いはメッセンジャワイヤの何れでも装着可能とする請求項１記載の光ドロップクロージャ。
【請求項３】
本体と蓋体とは、下端にヒンジ部を有して連結されて成る請求項１又は２記載の光ドロップクロージャ。
【請求項４】
本体の光ファイバ収納空間には、光ファイバ余長分を収納するためのトレイを装着するトレイ装着手段が設けられ、該トレイ装着手段が前方に突出形成された弾性部材から成る挟持爪であり、トレイを前方から押圧操作することで装着可能である請求項１乃至３の何れかに記載の光ドロップクロージャ。
【発明の詳細な説明】
【技術分野】
【０００１】
本発明は、電柱等に架空配設された光ファイバの余長分や接続部を収容する光ドロップクロージャに関する。
【背景技術】
【０００２】
従来、電柱等に架空配設された光ファイバケーブル同士を接続する場合、或いは架空配設された光ファイバケーブルを分岐して家屋等に引き込む場合、光ファイバの接続部や余長分を収納するための光ドロップクロージャが使用される。
このクロージャは、通常四角形状の箱体で、架空配設された支持線やメッセンジャワイヤに取り付ける支持部を上部に備えて垂下するように支持線等に取り付けられる。そして、支持線等の取り付け方向に一致する左右端部に、架空配設された光ファイバを挿通する孔を備えている（例えば、特許文献１参照）。
【特許文献１】特開２００４−１２９４７０号公報（第３図）
【発明の開示】
【発明が解決しようとする課題】
【０００３】
しかし、上記従来の光ドロップクロージャは、左右面に光ファイバケーブルを挿通する孔、更には分岐した光ファイバを引き出す孔等を有するため、パッキン等でシールドしても挿通孔から雨水等が浸入する事があった。また、光ファイバケーブルを支持するための支持線に装着可能であっても、支持線より太いメッセンジャワイヤに装着することができなかったし、家屋等への引き込みに使用する引き込み線を支持することはできなかった。
【０００４】
そこで、本発明はこのような問題点に鑑み、雨水等の水の浸入を確実に防ぐことができ、また支持線やメッセンジャワイヤに取り付けできる光ドロップクロージャを提供することを目的とする。
【課題を解決するための手段】
【０００５】
上記課題を解決する為に、請求項１に記載の発明は、左右方向に伸びた光ファイバドロップケーブルの支持線或いはメッセンジャワイヤを装着する装着手段をハウジング上部に備えると共に、左右端部に光ファイバを挿入或いは送出する光ファイバ挿通孔を備え、ハウジング内部に光ファイバ収納空間を備えた光ドロップクロージャであって、左右の側壁を二重に形成して前記光ファイバ挿通孔を二段に形成すると共に、少なくとも外側の側壁に形成した光ファイバ挿通孔を、内側に向けて上り傾斜を有するよう形成し、更に、双方の二重の側壁の間に形成された空間の下部に外部に連通する通水孔を設け、ハウジングを、前記装着手段を備えて前方を開放可能とした本体と、本体前面を閉塞する蓋体とで形成し、前記光ファイバ挿通孔を本体と蓋体との境界に配置して成ることを特徴とする。
この構成により、雨水等が光ファイバ挿通孔から光ファイバ収納空間に浸入し難くなる。また通水孔により、外側の光ファイバ挿通孔に雨水が浸入しても、浸入した雨水を外部に排出することができるし、通水孔を設けても内部の光ファイバ収納空間は密閉状態を保持できる。更に、クロージャを開放した際、光ファイバ挿通孔も開放されるので、光ファイバ挿入操作がし易いし、収納分岐操作等も行い易い。
【０００６】
請求項２の発明は、請求項１に記載の発明において、装着手段は、装着対象の線径に合わせた複数の係止部を備えた係止金具を有し、係止金具の係止部を選択することで支持線或いはメッセンジャワイヤの何れでも装着可能とすることを特徴とする。
この構成により、金具を交換したり別途金具を追加するような面倒な作業をすることなく、支持線及びメッセンジャワイヤのどちらでも装着できる。
【０００７】
請求項３の発明は、請求項１又は２に記載の発明において、本体と蓋体とは、下端にヒンジ部を有して連結されて成ることを特徴とする。
この構成により、蓋体を開放操作しても落下することが無いし容易に閉塞操作でき、作業し易い。  
【０００８】
請求項４の発明は、請求項１乃至３の何れかに記載の発明において、本体の光ファイバ収納空間には、光ファイバ余長分を収納するためのトレイを装着するトレイ装着手段が設けられ、該トレイ装着手段が前方に突出形成された弾性部材から成る挟持爪であり、トレイを前方から押圧操作することで装着可能であることを特徴とする。
この構成により、挟持爪が挟持可能な連結片をトレイに設ければ、容易に着脱操作でき、メンテナンス操作等がし易い。
【発明の効果】
【０００９】
本発明によれば、支持線或いはメッセンジャワイヤに装着でき、雨水等が光ファイバ挿通孔から光ファイバ収納空間に浸入し難くなる。また、通水孔により、外側の光ファイバ挿通孔に浸入した雨水を外部に排出することができるし、内部の光ファイバ収納空間は通水孔を設けても密閉状態を保持できる。
また、金具を交換したり別途金具を追加するような面倒な作業をすることなく、支持線及びメッセンジャワイヤのどちらでも装着できる。
【発明を実施するための最良の形態】
【００１０】
以下、本発明を具体化した実施の形態を、図面に基づいて詳細に説明する。図１は本発明に係る光ドロップクロージャの実施形態の一例を示し、（ａ）は平面図、（ｂ）は正面図、（ｃ）は右側面図である。また、図２は光ドロップクロージャを開けた状態の正面図を示している。図において、１はハウジングで本体２と蓋体３から構成され、４は支持線やメッセンジャワイヤ等に装着するための装着手段である。尚、５（５ａ，５ｂ）は光ファイバ、６は支持線を示している。
【００１１】
ハウジング１は合成樹脂により四角形状に形成され、本体２と蓋体３とはヒンジ部８を介して一体に形成されている。光ファイバ挿通孔９は、この本体２と蓋体３の境界に配置され、２分割されるように設けられ、装着手段４は本体２の上部に取り付けられている。本体２は、背面が平坦に形成されて、吊り下げた状態だけでなく作業台等に載せた状態でも作業しやすいよう形成され、前面が開放されて形成されている。蓋体３は、膨らみを持たせて蒲鉾状に形成され、内部の光ファイバ収納空間１０を広くし、本体２の前面を閉塞するよう形成されている。尚、ハウジング１を構成する合成樹脂は、ヒンジ部８が良好に機能するような柔軟性，弾性を有するものが使用される。
【００１２】
ハウジング１の側面１１、即ち本体２及び蓋体３の側面は、外壁１１ａと内壁１１ｂの２重に形成され、光ファイバ挿通孔９は双方の壁面に連通する形で２段に形成されている。この光ファイバ挿通孔９は、左右側面に多芯ファイバ５ａを挿通する孔９が最上部に１つと、複数の単芯若しくは２芯光ファイバ５ｂを挿通する複数の孔９が縦に配置されて形成されている。そして、外壁１１ａ及び内壁１１ｂに形成された光ファイバ挿通孔９は、何れも内側に向けて上り傾斜となるよう形成されている。
【００１３】
外壁１１ａと内壁１１ｂとで囲まれた縦長の空間１２は、下端に外部に連通して、浸入した雨水等を排出するための通水孔１３が形成され、本体２と蓋体３の当接する開口部周囲及び内壁１１ｂにはパッキン１５が組み付けられ、本体２に蓋体３を被せて閉塞した際に、ハウジング内部の光ファイバ収納空間１０は上下壁面と内壁１１ｂとにより完全に閉塞される。また、外壁１１ａに設けたパッキン１５により、通水孔１３を除く壁部１１を気密状態にしている。そして、閉塞した本体２と蓋体３は、４隅をボルト１６で螺着して密着される。
【００１４】
装着手段４は、鋼板をＬ字状に折り曲げ形成したＬ状板１８と、鋼板をＳ字状に折り曲げ形成した一対の係止金具１９とで構成されている。Ｌ状板１８は、ハウジング１の幅に合わせた長さを有し、折り曲げた一方の板が本体２の平坦に形成された上面にネジ止め固定され、他方の板が係止金具１９の取付面となっている。
【００１５】
係止金具１９は、図１（ｃ）に示すように大きな径の半円状の切り欠き１９ａと小さな径の半円状の切り欠き１９ｂが対向する位置に形成され、装着対象の線形に合わせた２つの係止部を有している。そして、使用する係止部をＬ状板１８の取付面に密着させて使用される。大径の切り欠き１９ａはメッセンジャワイヤの径に合わせて形成され、小径の切り欠き１９ｂは支持線の径に合わせて形成され、支持線或いはメッセンジャワイヤを装着可能とし、図１は支持線６に装着した状態を示している。
【００１６】
メッセンジャワイヤ２１に装着した状態は、図３に示すようになる。図３は、図１の構成に対して係止金具１９を反転した光ドロップクロージャの側面図で、大径の切り欠き１９ａを設けた面をＬ状板１８に密着固定させることで、メッセンジャワイヤ２１への装着を可能としている。この係止金具１９は、上下２箇所がＬ状板１８にボルト止めして固定される。
【００１７】
一方、本体２の光ファイバ収納空間には、図２に示すようなトレイ２３が取り付けられてトレイ２３の中に光ファイバは収納される。そのため、本体２には図４に示すようなトレイ装着手段２２が光ファイバ収納空間１０に形成されている。このトレイ装着手段２２は、挟持爪２２ａを前方に突設して形成され、ハウジング１を形成する柔軟性，弾性を有する合成樹脂により形成され、本体２に一体形成されている。トレイ２３に、この挟持爪２２ａにより挟持できる棒体２４を設ければ、前方からトレイ２３を押圧操作するだけで装着操作が可能となる。
【００１８】
このように、光ファイバ挿通孔を２段に形成すると共に内部に向けて上り傾斜とするので、雨水等が光ファイバ挿通孔から光ファイバ収納空間に浸入し難くなるし、通水孔により、外側の光ファイバ挿通孔に雨水が浸入しても、浸入した雨水を外部に排出することができる。それでいて、通水孔を設けても内部の光ファイバ収納空間は密閉状態を保持できる。
また、金具を交換したり別途金具を追加するような面倒な作業をすることなく、支持線及びメッセンジャワイヤのどちらでも装着できる。
更に、クロージャを開放した際、光ファイバ挿通孔も開放されるので、光ファイバ挿入操作がし易いし、収納分岐操作等も行い易い。
また、蓋体は本体にヒンジ連結されているので、開放操作しても落下することが無いし容易に閉塞操作でき、作業し易い。  
【００１９】
尚、この実施形態では、対向する部位に半円形状の切り欠きを形成して２つの係止部を設けた係止金具を使用しているが、一方の面にメッセンジャワイヤを装着する大径の切り欠き１９ａと支持線６を装着する小径の切り欠き１９ｂを上下に配置して設けても良い。こうすれば、係止金具を反転する事無く、装着部位を上下にずらすだけで変更できるし、反対面には更に別の径の係止部を設けることでき、多数の形状の係止部を設けることが可能となる。
【００２０】
図５は、本発明の光ドロップクロージャの他の例を示し、（ａ）は平面図、（ｂ）は正面図、（ｃ）は右側面図を示している。上記実施形態とは、装着手段４の構成が異なり、他の構成は同一であるため、装着手段４について説明する。装着手段４は、支持線６や引き込み線（図示せず）を引き止める引き留め部２６を上部に設け、支持線６に装着するための装着溝２７を下部に備えた合成樹脂製の支持台２８として形成されている。４隅及び中央に配置されたボルト２９により本体２に取り付けられている。
【００２１】
引き留め部２６は、支持線６や引き込み線を巻回する巻回部２６ａ、支持線６や引き込み線を緊縛して支持するための固定部２６ｂとで構成され、左右方向へ伸張された支持線６や引き込み線の端部を引き止め可能に構成され、８本の支持線６を同時に引き止め可能な構成となっている。
このように、装着手段を支持台とすることで、メッセンジャワイヤへの装着はできなくなるが、引き留め部を設けることで、架空配設された光ファイバを家屋等に引き込む際の余長分の収納等に、有効に利用できる。そして、装着溝に支持線を挿入すれば支持線に装着でき、上記実施形態と同様に使用することができる。
【００２２】
尚、上記実施形態は何れも本体２と蓋体３とを合成樹脂製としているが、金属製としても良く、その場合ヒンジ部８、或いはトレイ装着手段２２は別途作成したものを組み付ければ良い。また、図５に示す支持台２８も、金属製としても良く、樹脂に比べて重量が増加するが堅牢にできる。
また、支持台２８は、装着溝２７を支持線６に装着するための溝としているが、径を拡大してメッセンジャワイヤに装着可能としても良い。
更に、上記実施形態は何れも、２段に形成した光ファイバ挿通孔９の双方を内側に向けて上り傾斜としたが、少なくとも内側の光ファイバ挿通孔９のみ上り傾斜を設けるだけでも光ファイバ収納空間へ雨水の浸入を防ぐには効果的である。
【図面の簡単な説明】
【００２３】
【図１】本発明に係る光ドロップクロージャの実施形態の一例を示し、（ａ）は平面図、（ｂ）は正面図、（ｃ）は右側面図である。
【図２】図１の光ドロップクロージャを開けた状態を示す正面図である。
【図３】図１の変形例を示し、メッセンジャワイヤに取り付け可能とした状態を示している。
【図４】図１のトレイ装着手段を示す側面説明図である。
【図５】本発明の他の形態を示し、支持線の引き留めを可能とする光ドロップクロージャを示し、（ａ）は平面図、（ｂ）は正面図、（ｃ）は右側面図である。
【符号の説明】
【００２４】
１・・ハウジング、２・・本体、３・・蓋体、４・・装着手段、５（５ａ，５ｂ）・・光ファイバ、６・・支持線、８・・ヒンジ部、９・・光ファイバ挿通孔、１１・・側面、１１ａ・・外壁、１１ｂ・・内壁、１２・・空間、１３・・通水孔、１５・・パッキン、１８・・Ｌ状板、１９・・係止金具、１９ａ，１９ｂ・・切り欠き、２１・・メッセンジャワイヤ、２６・・引き留め部、２８・・支持台（装着手段）。
【図１】
2006235273.tif 000003
【図２】
2006235273.tif 000004
【図３】
2006235273.tif 000005
【図４】
2006235273.tif 000006
【図５】
2006235273.tif 000007